(57)【要約】【課題】  我が国の現状では、室内への蚊等の虫の侵入を防ぎながら、太陽光を遮断し、通風性を維持したまま目隠しとしても機能させるためには、従来の網戸のみでは不可能であり、網戸の外側にスダレを垂らす、ヨシズを立てかける、或いは、鎧戸の内側にネットを張設するといった方法しかなかった。【解決手段】  アルミニウム蒸着シートを細幅に細断して成る糸状体を、ネット材料であるプラスチック糸中に嵌め込んだものであることを特徴とする網戸用シート。或いはこれを張設してなる網戸。【選択図】  図１
2014091954.tif 000002
【特許請求の範囲】
【請求項１】
アルミニウム蒸着シートを細幅に細断して成る糸状体を、ネット材料であるプラスチック糸中に嵌め込んだものであることを特徴とする網戸用ネット。
【請求項２】
アルミニウム蒸着シートを細幅に細断して成る糸状体を、ネット材料であるプラスチック糸に嵌め込んで成る網戸用ネットを張設して成ることを特徴とする網戸。
【発明の詳細な説明】
【技術分野】
【０００１】
本発明は、通風性・防虫性・遮光性・遮熱性を兼ね備えた新規な網戸用ネット及びこれを用いた網戸の構造に関するものである。
【背景技術】
【０００２】
暑湿厳しい時期を快適に過ごすために、旧来より種々様々なものが開発・提供されている。そうした中で「網戸」は、通風性を維持したまま昆虫（主として蚊）の侵入を防止するものとして昭和後期以降、従来の蚊帳を駆逐する形で日本中に普及した。
【０００３】
この普及を助けたのはアルミサッシで、今や殆どの住宅窓は網戸を付帯しており、且つその殆どがアルミサッシ製となっている。また近時は節電が盛んに叫ばれており、エアコン使用はできるだけ控える傾向にある。その際網戸は、必要不可欠のものである。
アルミサッシ製網戸の構造は基本的に、内周部分に細溝を有する枠体、目の細かなネット、そして該ネット周囲を該枠体の細溝に押し込み係止させるための網戸押さえゴム（現在は、３．５、２．５、１．５、０．５ｍｍの４種類の径サイズのゴムがある）、とにより成る。そして網戸は、ガラス戸の外側に固定されるか、ガラス戸外側に設けられたアルミサッシ製窓枠レール上に摺動自在に配置される。
【０００４】
一方、網戸には遮光性・遮熱性、或いは目隠し効果などは求められていないので、日差しを遮るため、或いは目隠しのためには、屋外であればスダレやヨシズを配置、屋内であれば、カーテン、ブラインド等を設けて対応している。
【先行技術文献】
【特許文献】
【０００５】
【特許文献１】特開２００２−１２９８５４
【発明の概要】
【発明が解決しようとする課題】
【０００６】
即ち現状では、虫の侵入を防ぎながら太陽光を遮断し、通風性を維持したまま目隠しとしても機能させるためには、網戸の外側にスダレを垂らす、ヨシズを立てかける、鎧戸の内側にネットを張設するといった方法しかなかった。
【課題を解決するための手段】
【０００７】
そこで本発明者はこの点に鑑み長年実験検討を重ね、鋭意研究の結果遂に本発明である網戸用ネット及び網戸を成したものであり、その特徴とするところは、網戸用ネットについては、アルミニウム蒸着シートを細幅に細断して成る糸状体を、ネット材料であるプラスチック糸中に散在させたものであるという点に、また網戸についてはこのネットを貼着した点にある。
【０００８】
即ち本発明は、防虫（蚊等を通過させない）機能と、遮熱機能、遮光機能（これは同時に目隠し機能でもある）を両立させた網戸用ネット若しくは網戸であると言える。
【０００９】
ここで「糸状体」は、アルミニウム蒸着シートを細幅に細断して成るものである。本発明はアルミニウム蒸着シートそれ自体が持つ、ガスバリアー性、光反射性、等々の特性の中、遮光性・遮熱性を活用するものである。アルミニウム蒸着シートの基板となるプラスチックシートについては特に限定するものではなく、耐候性・価格・遮光性等々を勘案し適宜選択すれば良い。本発明者が試作実験した範囲で言うと、中低圧高密度ポリエチレンフィルムが最適であった。また、アルミニウム蒸着面と反対側の面を暗色（できれば黒）とし、屋外側が蒸着層、屋内側が暗色面となるよう配置すると特に日中は、屋外から屋内は視認しづらく、反面、屋内から屋外はクリアーに見えるという効果を発揮し、非常に好適である。
【００１０】
糸状体の幅は、特に限定しない。広くしてゆくと当然、通気性が損なわれてゆく代わりに遮熱効果は向上してゆく（糸状体同士の間隙が等しい場合）ので、通気性と遮熱性のどちらをより重要視するかによって異なってくる。但し、糸状体の幅を２０ｍｍ以上としてしまうと、既設の製造設備を手直しする程度の改変では製造困難となるため現実的とは言えない。
【００１１】
「プラスチック糸」は本明細書中においては、従来から網戸ネットに使用されている糸を指す語句として定義する。プラスチック糸の材質は現在、耐候性ポリプロピレンが主流であり、本発明においても原則これが用いられる。また、着色する必要はないが、通常は青、灰、黒などに着色されている。色についても本発明は特に限定はしない。
【００１２】
従来の網戸用ネットにおいてプラスチック糸は平織りされている。本発明においても従来と同様平織り、即ち、経糸と緯糸とにより成るものが好ましい。平織りの場合、ここに用いる糸状体は、経糸・緯糸の双方にではなく、いずれか片方に存在するのが好ましい。また、経糸又は緯糸いずれか片方の全てが糸状体であるということもない。よって概念としては、従来の網戸用ネットを構成するプラスチック糸（経糸及び緯糸）の片方、例えば経糸はそのままにし、緯糸についてはところどころ抜き取り、代わりに糸状体を使用するという構造である。プラスチック糸に比して糸状体の幅は大きいので、プラスチック糸を複数本抜き取ったところに、糸状体を１本入れたような形態もあり得る。また、目の大きさについても従来の網戸用ネット（一般用と、これよりも目を細かくして防虫効果を高めたハイメッシュタイプとが市販されている）と同様で良く、何ら限定しない。
【００１３】
なお、平織りが好ましいものではあるが本発明はこれに限定しない。例えばラッセル編やカラミ編等によって本発明網戸用ネットを形成させても良い。
【００１４】
このような構造の網戸用ネットを、アルミサッシ製網戸枠体に張設するわけであるが、網戸枠体は旧来のものをそのまま使用することができる。張設方法も旧来法と同様、網戸押さえゴムを用いて行なうことができる。
但し、本発明に係る網戸用ネットは、プラスチック糸と糸状体を混成して織るものであるが故に、従来のネットに比して歪みが出やすく、生じた歪みが見た目に明らかになりやすいので、困難ということはないが、見栄え良く仕上げるには多少の慣れが必要である。よって何らかの方策を講じておくと好適である。例えば、網戸枠体に適合するサイズのネットの外周に線材を予め配置・固定しておくという方法が考えられる。網戸枠体の細溝に丁度嵌り込むような線材を採用すれば、カセットタイプの専用ネットとなる。これだと嵩張ってしまうというのであれば、形状記憶タイプの線材を用いることで丸めた状態で保管・輸送・展示できるので更に好適である。いずれにしてもユーザー側は、そのサイズに適合するネットを選択して購入すれば、簡単確実に張設できることになる。なお張設に際しては、従来の網戸枠体が備えている細溝を活用して固定するようにしても、或いは、枠体側に相応の構造を具備させておいても良い。
【発明の効果】
【００１５】
本発明に係る網戸用ネットは、以下述べる如き効果を有する極めて高度な発明である。
（１）  通風性と防虫性しか期待できなかった網戸用ネットが、遮光性、目隠し機能も備えるものとなるので、スダレやヨシズといったものが不要となる。そして、防虫性に関しては、全く損なわれることがない。
（２）  アルミニウム蒸着面を有しているため、従来のスダレやヨシズと異なり、遮熱性を具備している。よって、室内の昇温を抑える能力が高い。
（３）  アルミニウム蒸着面を有しているため、この網戸用ネットが張設された網戸を屋外から観察した場合、反射光に幻惑される。よってこのシート自体には隙間があるにもかかわらず屋内が視認しづらくなる。即ち、目隠し効果が高い。
【図面の簡単な説明】
【００１６】
【図１】本発明に係る網戸用ネットを張設した網戸の一例を概略的に示す正面図である。
【図２】本発明に係る網戸用ネットの一部を示す概略正面図である。
【図３】（ａ）乃至（ｂ）は、糸状体の配置の形態に関する他の例を示すいずれも概略正面図である。
【図４】（ａ）乃至（ｂ）は、本発明に係る網戸用ネットについての他の例を示す概略正面図である。
【発明を実施するための形態】
【実施例１】
【００１７】
図１は、本発明に係る網戸用ネット１（以下、本発明ネット１という）をアルミサッシ製枠体２に張設して成る網戸１０の一例を示すものであり、図より明らかなように本例の網戸１０はその網部分が、プラスチック糸３だけで構成されているのではなく、幅のある糸状体４が水平方向に隙間を空けて連続的に配置された構造となっている。
【００１８】
この構造を明らかにするため、本発明ネット１の一部を図２に示す。
本例の本発明ネット１は、プラスチック糸３の径が約０．２ｍｍで、網目の内法１．３×１．３ｍｍ（１６メッシュタイプ）を基本とする平織り組織であり、最も普及しているサイズである。なお、糸径が０．２ｍｍ、網目内法が１．３ｍｍという場合、糸のピッチは１．５ｍｍということになる。
但し、緯糸はプラスチック糸３だけで構成されているのではなく、幅約６．５ｍｍの糸状体４が、おおよそ６．５ｍｍ間隔で配置されており、糸状体４が配置された部分については緯糸は存在していない。つまり糸状体４は、約６．５ｍｍの隙間を形成しながら平行に配置されているとも言える。この隙間部分には４本の緯糸（プラスチック糸３）が配置されている。なお経糸に関しては、全てプラスチック糸３で構成されている。
【００１９】
本発明ネット１の組織は平織りであり、約６．５ｍｍという幅を持っているが糸状体４も平織り組織を構成する織り糸として製造される。従って図２に示すように、糸状体４と直交する形で配される経糸（プラスチック糸３）は、糸状体４の表裏に１．５ｍｍピッチで交互に出現することになる。（糸状体４の裏側に隠れるプラスチック糸３は破線で描出している）
従来の網戸ネットの場合は、全ての糸（経糸と緯糸）が規定ピッチで配置されるのに対し、本発明ネット１の場合には、緯糸の一部に幅広（本例で言えば６．５ｍｍ）の糸状体４を挟み込んでいるため緯糸をプラスチック糸３に着目して言えば、この部分の緯糸は欠損しているという解釈ができる。勿論現実には欠損箇所は糸状体４にてカバーされているので、防虫機能はいささかも損なわれることはない。
【００２０】
しかし例えば、糸状体４がある１カ所で切れてしまい、これをきっかけに糸状体４がほどけてしまうと、１．３×６．５ｍｍ以上の大きさの網目が連続して出現してしまうことになる。なお、糸状体４が切れる危険性が、通常のプラスチック糸３（耐候性ポリプロピレン）に比して大きいというわけではない。
また、緯糸のみ本数を少なくするという形態は、網目の配列が乱れてしまう可能性が高いことともなる。
そこでこれらを防止すべく、プラスチック糸３同士、及びプラスチック糸３と糸状体４とを「目止め」するようにしても良い。目止めの手法としては、目止め剤を用いる方法、低融点ポリマーを被覆した合成繊維糸又はガラス繊維糸を用いて平織り加工した後これに高周波振動を与えたりヒーターを用いて糸同士の接触部分を加熱溶融させる方法、等があるが手法については問わない。
【００２１】
このようにして構成される本発明ネット１は、糸状体４が間隔をあけて平行に配置されるものであるので、全体としてストライプ模様の外観を呈する。図３（ａ）（ｂ）は糸状体４の配置についての他の例を示すものである。糸状体４の占有面積率を遮蔽率とみなした場合、同図（ａ）の例で約７７％、（ｂ）の例で約３２％である。遮光性・目隠し効果についてはこの数値が大きい方が高く、通気性に関してはこの数値が小さい方が低い。そして防虫機能に関しては、この数値とは無関係である。
図示した例以外にも様々な外観のものがあるが、網戸を設置する環境や要求する防虫性・遮光性等々に応じて適宜採用すればよく、図示したものに限定しない。
【００２２】
本発明ネット１をアルミサッシ製枠体２に張設する作業は、従来と同様で良い。但し、従来の網戸用ネットと異なり本発明ネット１は多少張りづらい。従来のネットも作業中に張設面が一旦歪んでしまうとその修復は困難であるが、本発明ネット１の場合修復の困難性はより大きく、その歪みはより目立ちやすい。
そこで張設する枠体のサイズに合わせて、予め外周部に枠材５を固定しておき、この枠材５にて枠体２への張設を行なうようにすると、張設作業を非常に簡単に行なうことができるようになる。図４（ａ）（ｂ）は、そうした本発明ネット１の例を２つ示したものである。同図（ａ）は、従来のアルミサッシ製枠体２の網戸押さえゴムを格納していた細溝が活用できるように、枠材５に周回突条５１を有する例（この場合枠体２は従来品がそのまま利用できる）を示しており、同図（ｂ）は、枠体側の係止手段（図示せず）で線材５付きの本発明ネット１を係止する例である。
更に、枠材５を形状記憶タイプの材質によって成し、本発明ネット１全体を丸めておけるようにすると、保管・移動が容易になる（図示せず）。
【００２３】
また、図４で示した構造の本発明ネット１の場合、枠体２からの取り外し作業、設置作業はいずれも、簡単に行なうことができるので、旧来の網戸用ネットが張設されたものと併用するという使用形態も採用しやすい。このような形態、即ち、ネットの構造の違うものを２種或いはそれ以上準備しておき、例えば、遮熱機能が求められる夏季には本発明ネット１が張設された網戸を設置しておき、太陽熱を取り込みたい冬期には通常の網戸用ネットに張り替えるといった形態は、古くなったら取り替えるという形でしか張り替えをしていなかったこれまでの網戸から見ると画期的なことであり、スダレやヨシズを追加使用することで対応していたこれまでの生活様式が一変する可能性がある。
【００２４】
また、本発明ネット１が採用された網戸に関しては、遮光性・遮熱性を備えたものであるのでその機能を勘案すると、ガラス窓が２枚引き違い式であれば、網戸も２枚引き違い式とし、通常の網戸用ネットが張設されたものと自由に交換できるようにするのが自然である。但しこれまでのアルミサッシ窓では、網戸が２枚引き違い式であることはほとんどないので、窓構造から改める必要がある（図示せず）。
【００２５】
なおここまで本発明ネット１の基本構造を、平織り組織であるとして説明してきたが本発明はこれに限定するものではない（図示省略）。
【符号の説明】
【００２６】
１    本発明に係る網戸用ネット
１０  網戸
２    アルミサッシ製枠体
３    プラスチック糸
４    糸状体
５    枠材
５１  周回突条
【図１】
2014091954.tif 000003
【図２】
2014091954.tif 000004
【図３】
2014091954.tif 000005
【図４】
2014091954.tif 000006